(57)【要約】【課題】ハンドオフ時の多大な信号量及び処理時間を減少させることを可能とする移動通信システム等を提供する。【解決手段】本発明は、コアネットワーク１内の所定のノードＡＮ１に接続されているモバイルネットワークＡ内の移動通信端末ＭＴ＃１宛てに、該移動通信端末のアドレス情報に基づいてパケットを転送する移動通信システムに関する。移動通信端末のアドレス情報は、モバイルネットワークＡが接続する所定のノードＡＮ１に関連付けられている共通情報と、モバイルネットワークＡが接続する所定のノードＡＮ１に関連付けられていない個別情報とによって構成される。【選択図】      図１
2004282172.tif 000002
【特許請求の範囲】
【請求項１】
コアネットワーク内の所定のノードに接続されているモバイルネットワーク内の移動通信端末宛てに、該移動通信端末のアドレス情報に基づいてパケットを転送する移動通信システムであって、
前記移動通信端末のアドレス情報は、
前記モバイルネットワークが接続する所定のノードに関連付けられている共通情報と、
該モバイルネットワークが接続する所定のノードに関連付けられておらず、該モバイルネットワークが接続する所定のノードが変更になった場合であっても変更しない個別情報とによって構成されていることを特徴とする移動通信システム。
【請求項２】
前記モバイルネットワークと該モバイルネットワーク内の移動通信端末のアドレス情報とを関連付けて管理するアドレス管理装置を具備し、
前記アドレス管理装置は、前記モバイルネットワークが接続する所定のノードが変更になった場合、該モバイルネットワーク内の移動通信端末のアドレス情報を構成する共通情報のみを変更することを特徴とする請求項１に記載の移動通信システム。
【請求項３】
前記アドレス管理装置は、前記モバイルネットワーク内の所定の移動通信端末又は前記モバイルネットワークを管理するモバイルノードからの通知に基づいて、前記モバイルネットワークが接続する所定のノードが変更になったことを検出することを特徴とする請求項２に記載の移動通信システム。
【請求項４】
コアネットワーク内の所定のノードに接続されているモバイルネットワーク内の移動通信端末宛てに、該移動通信端末のアドレス情報に基づいてパケットを転送する移動通信方法であって、
前記移動通信端末のアドレス情報は、前記モバイルネットワークが接続する所定のノードに関連付けられている共通情報と、該モバイルネットワークが接続する所定のノードに関連付けられていない個別情報とによって構成されており、
前記モバイルネットワーク内の所定の移動通信端末が、該モバイルネットワークが接続する所定のノードが変更になったことを検出する工程と、
前記所定の移動通信端末が、前記モバイルネットワーク内の全ての移動通信端末のアドレス情報を構成する共通情報のみを変更することによって、該移動通信端末のアドレス情報を変更する工程と、
前記所定の移動通信端末が、前記移動通信端末のアドレス情報の変更を、前記モバイルネットワーク内の全ての移動通信端末に対して通知すると共に、該モバイルネットワーク内の移動通信端末のアドレス情報を管理するアドレス管理装置に通知する工程とを有することを特徴とする移動通信方法。
【請求項５】
コアネットワーク内の所定のノードに接続されているモバイルネットワーク内の移動通信端末宛てに、該移動通信端末のアドレス情報に基づいてパケットを転送する移動通信方法であって、
前記移動通信端末のアドレス情報は、前記モバイルネットワークが接続する所定のノードに関連付けられている共通情報と、該モバイルネットワークが接続する所定のノードに関連付けられていない個別情報とによって構成されており、
前記所定のノードが、前記モバイルネットワークを管理するモバイルノードに対して、該所定のノードに関連付けられている共通情報を通知する工程と、
前記モバイルノードが、通知された共通情報に基づいて、前記モバイルネットワーク内の全ての移動通信端末のアドレス情報を構成する共通情報のみを変更することによって、該移動通信端末のアドレス情報を変更する工程と、
前記モバイルノードが、前記移動通信端末のアドレス情報の変更を、該モバイルネットワーク内の移動通信端末のアドレス情報を管理するアドレス管理装置に通知する工程とを有することを特徴とする移動通信方法。
【請求項６】
コアネットワーク内の所定のノードに接続されているモバイルネットワーク内の移動通信端末宛てに、該移動通信端末のアドレス情報に基づいてパケットを転送する移動通信システムにおいて、該モバイルネットワーク内の全ての移動通信端末のアドレス情報を管理するサーバ装置であって、
前記移動通信端末のアドレス情報は、前記モバイルネットワークが接続する所定のノードに関連付けられている共通情報と、該モバイルネットワークが接続する所定のノードに関連付けられておらず、該モバイルネットワークが接続する所定のノードが変更になった場合であっても変更しない個別情報とによって構成されており、
前記モバイルネットワーク内の移動通信端末と、前記共通情報と、前記個別情報とを関連付けて管理するアドレス情報管理部とを具備することを特徴とするサーバ装置。
【請求項７】
前記アドレス情報管理部は、前記モバイルネットワーク内の所定の移動通信端末又は前記モバイルネットワークを管理するモバイルノードからの通知に基づいて、前記共通情報のみを変更することを特徴とする請求項６に記載のサーバ装置。
【請求項８】
コアネットワーク内の所定のノードに接続されているモバイルネットワーク内の移動通信端末宛てに、該移動通信端末のアドレス情報に基づいてパケットを転送する移動通信システムにおいて、該パケットの転送経路上に設けられている転送装置であって、
前記移動通信端末のアドレス情報は、前記モバイルネットワークが接続する所定のノードに関連付けられている共通情報と、該モバイルネットワークが接続する所定のノードに関連付けられていない個別情報とによって構成されており、
前記モバイルネットワーク内の移動通信端末と、前記共通情報と、前記個別情報とを関連付けて管理するアドレス情報管理部とを具備することを特徴とする転送装置。
【請求項９】
前記アドレス情報管理部は、前記モバイルネットワーク内の所定の移動通信端末又は前記モバイルネットワークを管理するモバイルノードからの通知に基づいて、前記共通情報のみを変更することによって、該移動通信端末のアドレス情報を変更することを特徴とする請求項８に記載の転送装置。
【請求項１０】
前記アドレス情報管理部は、前記共通情報として、第１の共通情報と第２の共通情報とを関連付けて管理しており、
受信した前記パケット内の前記移動通信端末のアドレス情報を構成する前記第１の共通情報を前記第２の共通情報に変換して転送するアドレス変換部を具備することを特徴とする請求項８に記載の転送装置。
【請求項１１】
コアネットワーク内の所定のノードに接続されているモバイルネットワーク内の移動通信端末宛てに、該移動通信端末のアドレス情報に基づいてパケットを転送する移動通信システムにおいて、該モバイルネットワーク内に設けられている移動通信端末であって、
前記移動通信端末のアドレス情報は、前記モバイルネットワークが接続する所定のノードに関連付けられている共通情報と、該モバイルネットワークが接続する所定のノードに関連付けられていない個別情報とによって構成されており、
前記モバイルネットワーク内の移動通信端末と、前記共通情報と、前記個別情報とを関連付けて管理するアドレス情報管理部とを具備することを特徴とする移動通信端末。
【請求項１２】
前記アドレス情報管理部は、前記モバイルネットワークが接続する所定のノードが変更になったことを検出した場合、前記共通情報のみを変更することによって、前記移動通信端末のアドレス情報を変更し、
前記モバイルネットワークと該モバイルネットワーク内の移動通信端末のアドレス情報とを関連付けて管理するアドレス管理装置に対して、前記移動通信端末のアドレス情報の変更を通知することを特徴とする請求項１１に記載の移動通信端末。
【発明の詳細な説明】
【０００１】
【発明の属する技術分野】
本発明は、移動通信システム、移動通信方法、サーバ装置、転送装置及び移動通信端末に関する。
【０００２】
【従来の技術】
従来、Ｇｌｏｖａｌｖ６のルーティング方式を用いた移動通信システムが知られている（例えば、非特許文献１参照）。また、従来、ＨＭＩＰ（Ｈｉｅｒａｒｃｈｉｃａｌ  Ｍｏｂｉｌｅ  ＩＰ）を使用した移動通信システムが知られている（例えば、非特許文献２参照）。
【０００３】
【非特許文献１】
Ｔｈｅ  Ｉｎｔｅｒｎｅｔ  Ｓｏｃｉｅｔｙ、「Ｇｌｏｖａｌ  ｃｏｎｎｅｃｔｉｖｉｔｙ  ｆｏｒ  ＩＰｖ６  Ｍｏｂｉｌｅ  Ａｄｈｏｃ  Ｎｅｔｗｏｒｋｓ」、ｈｔｔｐ：／／ｗｗｗ．ｉｅｔｆ．ｏｒｇ／ｉｎｔｅｒｎｅｔ−ｄｒａｆｔｓ／ｄｒａｆｔ−ｗａｋｉｋａｗａ−ｍａｎｅｔ−ｇｌｏｂａｌｖ６−０２．ｔｘｔ
【０００４】
【非特許文献２】
Ｔｈｅ  Ｉｎｔｅｒｎｅｔ  Ｓｏｃｉｅｔｙ、「Ｈｉｅｒａｒｃｈｉｃａｌ  Ｍｏｂｉｌｅ  ＩＰ」、ｈｔｔｐ：／／ｗｗｗ．ｎａｌ．ｍｏｔｌａｂｓ．ｃｏｍ／ｎｅｍｏ／ｄｒａｆｔ／ｄｒａｆｔ−ｉｅｔｆ−ｍｏｂｉｌｅｉｐ−ｈｍｉｐｖ６−０６．ｔｘｔ
【０００５】
【発明が解決しようとする課題】
しかしながら、従来のＧｌｏｖａｌｖ６のルーティング方式を用いた移動通信システムでは、モバイルネットワークがハンドオフする際に、モバイルネットワーク内の全ての移動通信端末のホームエージェントに対して、移動した旨を通知する必要がある。また、当該移動通信システムでは、モバイルネットワークのハンドオフの際のルート最適化を実現するためには、通信相手である端末に対して、移動した旨を通知する必要がある。
【０００６】
その結果、当該移動通信システムでは、モバイルネットワークがハンドオフする際に、送信される信号量が増大し、ハンドオフ処理時間が長くなってしまうという問題点があった。
【０００７】
具体的には、図１８に示すように、当該移動通信システムにおいて、モバイルネットワークＡが移動した場合、すなわち、モバイルネットワークＡが接続するアクセスノードＡＮが変更になった場合、モバイルネットワークＡ内の全てのモバイル端末（移動通信端末）ＭＴ＃１及びＭＴ＃２のアドレス情報が変更される。
【０００８】
図１８の例では、モバイルネットワークＡの接続先ノードがＡＮ１からＡＮ２に変更になっており、モバイル端末ＭＴ＃１のアドレス情報（ＣｏＡアドレス）が、「ＡＮ１ｐｒｅｆｉｘ＋＃１」から「ＡＮ２ｐｒｅｆｉｘ＋＃１」に変更になっており、モバイル端末ＭＴ＃２のアドレス情報（ＣｏＡアドレス）が、「ＡＮ１ｐｒｅｆｉｘ＋＃２」から「ＡＮ２ｐｒｅｆｉｘ＋＃４」に変更になっている。
【０００９】
この際、当該移動通信システムでは、変更されたモバイル端末のアドレス情報が、各モバイル端末のホームエージェントＨＡ１及びＨＡ２及び通信相手であるモバイル端末ＭＴ＃３及びＭＴ＃４に通知されることによって、最適化された通信経路を崩すことなく通信を継続することができる。
【００１０】
しかしながら、当該移動通信システムでは、モバイルネットワークＡの移動について、全てのホームエージェント及び通信相手に対して通知する必要があることから、移動通信端末のアドレス情報の更新が完了するまでに多大な信号量と処理時間が必要であり、リアルタイム通信をサポートすることが困難であるという問題点があった。
【００１１】
また、当該移動通信システムでは、モバイル端末ＭＴ＃１及び＃２のアドレス情報（ＣｏＡアドレス）が複数のモバイル端末で同一のものとならないように、ＤＡＤ（Ｄｕｐｌｉｃａｔｉｏｎ  Ａｄｄｒｅｓｓ  Ｄｅｔｅｃｔｉｏｎ）によって制御しているため、モバイルネットワークが移動した際に、新たに設定されるＣｏＡアドレスの「ＡＮ１ｐｒｅｆｉｘ」以下の部分（例えば、＃２）が変更されてしまう可能性があり、移動通信端末のアドレス情報の更新に必要な時間が増大するという問題点があった。
【００１２】
また、従来のＨＭＩＰを使用した移動通信システムでは、モバイルネットワークの移動について、全てのホームエージェント及び通信相手に通知する代わりに、ＭＡＰ（Ｍｏｂｉｌｉｔｙ  Ａｎｃｈｏｒ  Ｐｏｉｎｔ）に通知すればよいので、上述のＧｌｏｖａｌｖ６のルーティング方式を用いた移動通信システムより優れている。
【００１３】
しかしながら、当該移動通信システムにおいても、モバイルネットワークが移動した場合、当該モバイルネットワーク内の全ての移動通信端末のアドレス情報を更新する必要があるため、ハンドオフ処理時間を大幅に短縮することができないという問題点があった。
【００１４】
具体的には、図１９に示すように、当該移動通信システムにおいて、モバイルネットワークＡが移動した場合、すなわち、モバイルネットワークＡを管理するモバイルノードＭＮが接続するアクセスノードＡＮが変更になった場合、モバイルネットワークＡ内の全てのモバイル端末（移動通信端末）ＭＴ＃１及びＭＴ＃２のアドレス情報が変更される。
【００１５】
しかしながら、当該移動通信システムでは、コアネットワーク１に設置されているＭＡＰが、モバイルネットワークＡ内の全てのモバイル端末ＭＴ＃１及びＭＴ＃２に送信する際の次ホップ先に係る情報（ＣｏＡ＿ＭＮ）を保持しているが、当該情報間の相関関係については保持していないため、モバイルネットワークＡが移動した場合、当該モバイルネットワークＡ内の全てのモバイル端末ＭＴ＃１及びＭＴ＃２の個々についての更新情報をＭＡＰに送信する必要があり、ハンドオフ処理時間が長くなってしまうという問題点があった。
【００１６】
そこで、本発明は、以上の点に鑑みてなされたもので、ハンドオフ時の多大な信号量及び処理時間を減少させることを可能とする移動通信システム、移動通信方法、サーバ装置、転送装置及び移動通信端末を提供することを目的とする。
【００１７】
【課題を解決するための手段】
本発明の第１の特徴は、コアネットワーク内の所定のノードに接続されているモバイルネットワーク内の移動通信端末宛てに、該移動通信端末のアドレス情報に基づいてパケットを転送する移動通信システムであって、前記移動通信端末のアドレス情報は、前記モバイルネットワークが接続する所定のノードに関連付けられている共通情報と、該モバイルネットワークが接続する所定のノードに関連付けられておらず、該モバイルネットワークが接続する所定のノードが変更になった場合であっても変更しない個別情報とによって構成されることを要旨とする。
【００１８】
かかる発明によれば、モバイルネットワークが移動した場合であっても、モバイルネットワーク内の移動通信端末のアドレス情報について、モバイルネットワークが接続する所定のノードに関連付けられている共通情報のみを変更すればよいため、ハンドオフ時の処理時間を減少することができる。
【００１９】
上述の発明において、前記モバイルネットワークと該モバイルネットワーク内の移動通信端末のアドレス情報とを関連付けて管理するアドレス管理装置を具備し、前記アドレス管理装置が、前記モバイルネットワークが接続する所定のノードが変更になった場合、該モバイルネットワーク内の移動通信端末のアドレス情報を構成する共通情報のみを変更することが好ましい。
【００２０】
上述の発明において、前記アドレス管理装置が、前記モバイルネットワーク内の所定の移動通信端末又は前記モバイルネットワークを管理するモバイルノードからの通知に基づいて、前記モバイルネットワークが接続する所定のノードが変更になったことを検出することが好ましい。
【００２１】
かかる発明によれば、モバイルネットワーク内の所定の移動通信端末又はモバイルネットワークを管理するモバイルノードのみが、アドレス管理装置に対してモバイルネットワークの移動について通知するため、ハンドオフ時の信号量を減少することができる。
【００２２】
本発明の第２の特徴は、コアネットワーク内の所定のノードに接続されているモバイルネットワーク内の移動通信端末宛てに、該移動通信端末のアドレス情報に基づいてパケットを転送する移動通信方法であって、前記移動通信端末のアドレス情報は、前記モバイルネットワークが接続する所定のノードに関連付けられている共通情報と、該モバイルネットワークが接続する所定のノードに関連付けられておらず、該モバイルネットワークが接続する所定のノードが変更になった場合であっても変更しない個別情報とによって構成されており、前記モバイルネットワーク内の所定の移動通信端末が、該モバイルネットワークが接続する所定のノードが変更になったことを検出する工程と、前記所定の移動通信端末が、前記モバイルネットワーク内の全ての移動通信端末のアドレス情報を構成する共通情報のみを変更することによって、該移動通信端末のアドレス情報を変更する工程と、前記所定の移動通信端末が、前記移動通信端末のアドレス情報の変更を、前記モバイルネットワーク内の全ての移動通信端末に対して通知すると共に、該モバイルネットワーク内の移動通信端末のアドレス情報を管理するアドレス管理装置に通知する工程とを有することを要旨とする。
【００２３】
本発明の第３の特徴は、コアネットワーク内の所定のノードに接続されているモバイルネットワーク内の移動通信端末宛てに、該移動通信端末のアドレス情報に基づいてパケットを転送する移動通信方法であって、前記移動通信端末のアドレス情報は、前記モバイルネットワークが接続する所定のノードに関連付けられている共通情報と、該モバイルネットワークが接続する所定のノードに関連付けられておらず、該モバイルネットワークが接続する所定のノードが変更になった場合であっても変更しない個別情報とによって構成されており、前記所定のノードが、前記モバイルネットワークを管理するモバイルノードに対して、該所定のノードに関連付けられている共通情報を通知する工程と、前記モバイルノードが、通知された共通情報に基づいて、前記モバイルネットワーク内の全ての移動通信端末のアドレス情報を構成する共通情報のみを変更することによって、該移動通信端末のアドレス情報を変更する工程と、前記モバイルノードが、前記移動通信端末のアドレス情報の変更を、該モバイルネットワーク内の移動通信端末のアドレス情報を管理するアドレス管理装置に通知する工程とを有することを要旨とする。
【００２４】
本発明の第４の特徴は、コアネットワーク内の所定のノードに接続されているモバイルネットワーク内の移動通信端末宛てに、該移動通信端末のアドレス情報に基づいてパケットを転送する移動通信システムにおいて、該モバイルネットワーク内の全ての移動通信端末のアドレス情報を管理するサーバ装置であって、前記移動通信端末のアドレス情報は、前記モバイルネットワークが接続する所定のノードに関連付けられている共通情報と、該モバイルネットワークが接続する所定のノードに関連付けられておらず、該モバイルネットワークが接続する所定のノードが変更になった場合であっても変更しない個別情報とによって構成されており、前記モバイルネットワーク内の移動通信端末と、前記共通情報と、前記個別情報とを関連付けて管理するアドレス情報管理部とを具備することを要旨とする。
【００２５】
上述の発明において、前記アドレス情報管理部が、前記モバイルネットワーク内の所定の移動通信端末又は前記モバイルネットワークを管理するモバイルノードからの通知に基づいて、前記共通情報のみを変更することが好ましい。
【００２６】
本発明の第５の特徴は、コアネットワーク内の所定のノードに接続されているモバイルネットワーク内の移動通信端末宛てに、該移動通信端末のアドレス情報に基づいてパケットを転送する移動通信システムにおいて、該パケットの転送経路上に設けられている転送装置であって、前記移動通信端末のアドレス情報は、前記モバイルネットワークが接続する所定のノードに関連付けられている共通情報と、該モバイルネットワークが接続する所定のノードに関連付けられておらず、該モバイルネットワークが接続する所定のノードが変更になった場合であっても変更しない個別情報とによって構成されており、前記モバイルネットワーク内の移動通信端末と、前記共通情報と、前記個別情報とを関連付けて管理するアドレス情報管理部とを具備することを要旨とする。
【００２７】
上述の発明において、前記アドレス情報管理部が、前記モバイルネットワーク内の所定の移動通信端末又は前記モバイルネットワークを管理するモバイルノードからの通知に基づいて、前記共通情報のみを変更することによって、該移動通信端末のアドレス情報を変更することが好ましい。
【００２８】
上述の発明において、前記アドレス情報管理部が、前記共通情報として、第１の共通情報と第２の共通情報とを関連付けて管理しており、受信した前記パケット内の前記移動通信端末のアドレス情報を構成する前記第１の共通情報を前記第２の共通情報に変換して転送するアドレス変換部を具備することが好ましい。
【００２９】
本発明の第６の特徴は、コアネットワーク内の所定のノードに接続されているモバイルネットワーク内の移動通信端末宛てに、該移動通信端末のアドレス情報に基づいてパケットを転送する移動通信システムにおいて、該モバイルネットワーク内に設けられている移動通信端末であって、前記移動通信端末のアドレス情報は、前記モバイルネットワークが接続する所定のノードに関連付けられている共通情報と、該モバイルネットワークが接続する所定のノードに関連付けられておらず、該モバイルネットワークが接続する所定のノードが変更になった場合であっても変更しない個別情報とによって構成されており、前記モバイルネットワーク内の移動通信端末と、前記共通情報と、前記個別情報とを関連付けて管理するアドレス情報管理部とを具備することを要旨とする。
【００３０】
上述の発明において、前記アドレス情報管理部が、前記モバイルネットワークが接続する所定のノードが変更になったことを検出した場合、前記共通情報のみを変更することによって、前記移動通信端末のアドレス情報を変更し、前記モバイルネットワークと該モバイルネットワーク内の移動通信端末のアドレス情報とを関連付けて管理するアドレス管理装置に対して、前記移動通信端末のアドレス情報の変更を通知することが好ましい。
【００３１】
【発明の実施の形態】
（本発明の第１の実施形態に係る移動通信システムの構成）
本発明の第１の実施形態に係る移動通信システムの構成について、図１乃至図４を参照して説明する。
【００３２】
本実施形態に係る移動通信システムは、図１に示すように、コアネットワーク１内に、複数のアクセスノードＡＮ１乃至ＡＮ５と、移動管理ルータ３０と、移動管理サーバ５０、５０ａ、５０ｂとを具備している。また、図１の例では、複数のモバイル端末ＭＴ＃１及びＭＴ＃２によって構成されているモバイルネットワークＡが、アクセスノードＡＮ１と接続する状態から、アクセスノードＡＮ２と接続する状態に移動している。
【００３３】
また、本実施形態に係る移動通信システムは、図１に示すように、コアネットワーク１内の所定のノード（アクセスノードＡＮ１又はＡＮ２）に接続されているモバイルネットワークＡ内のモバイル端末（移動通信端末）ＭＴ＃１及びＭＴ＃２宛てに、当該モバイル端末（移動通信端末）のアドレス情報に基づいてパケットを転送するものである。
【００３４】
ここで、モバイル端末のアドレス情報は、モバイルネットワークＡが接続する所定のノード（アクセスノードＡＮ１又はＡＮ２）に関連付けられている共通情報と、当該モバイルネットワークＡが接続する所定のノード（アクセスノードＡＮ１又はＡＮ２）に関連付けられておらず、当該モバイルネットワークＡが接続する所定のノード（アクセスノードＡＮ１又はＡＮ２）が変更になった場合であっても変更しない個別情報とによって構成される。
【００３５】
具体的には、モバイル端末ＭＴ＃１のアドレス情報は、モバイルネットワークＡがアクセスノードＡＮ１に接続されている場合には、「ＡＮ１ｐｒｅｆｉｘ（共通情報）＋＃１（個別情報）」であり、モバイルネットワークＡがアクセスノードＡＮ２に接続されている場合には、「ＡＮ２ｐｒｅｆｉｘ（共通情報）＋＃１（個別情報）」である。
【００３６】
同様に、モバイル端末ＭＴ＃２のアドレス情報は、モバイルネットワークＡがアクセスノードＡＮ１に接続されている場合には、「ＡＮ１ｐｒｅｆｉｘ（共通情報）＋＃２（個別情報）」であり、モバイルネットワークＡがアクセスノードＡＮ２に接続されている場合には、「ＡＮ２ｐｒｅｆｉｘ（共通情報）＋＃２（個別情報）」である。
【００３７】
上述のように、共通情報（ＡＮ１ｐｒｅｆｉｘ又はＡＮ２ｐｒｅｆｉｘ）は、モバイルネットワークＡがアクセスノードＡＮ１に接続しているか又はアクセスノードＡＮ２に接続しているかによって変更されるものである。
【００３８】
図１に示すように、モバイル端末ＭＴ＃３又はＭＴ＃４から送信されたパケットは、移動管理ルータ３０を介して、モバイルネットワークＡ内のモバイル端末ＭＴ＃１又はＭＴ＃２宛てに転送される。
【００３９】
ここで、移動管理ルータ３０は、ロケーション固定なホームエージェントを介したパケット転送経路のように冗長構成になってしまうことがないように構成されたパケット転送経路上に設けられている。
【００４０】
また、モバイルネットワークＡ内のモバイル端末ＭＴ＃１が、モバイルネットワークＡの移動を検出した場合に、モバイルネットワークＡ内の全てのモバイル端末ＭＴを代表して、移動管理ルータ３０及び移動管理サーバ５０に対して、モバイルネットワークＡ内の全てのモバイル端末ＭＴのアドレス情報に係る更新情報を通知する。
【００４１】
ここで、図２を参照して、モバイルネットワークＡ内のモバイル端末ＭＴ＃１の構成について説明する。図２に示すように、モバイル端末ＭＴ＃１は、情報受信部１１と、個別情報管理部１２と、ロケーション情報生成部１３と、情報送信部１４と、モバイルネットワーク内ロケーション情報管理部１５とを具備している。
【００４２】
情報受信部１１は、アクセスノードＡＮ１又はＡＮ２から送信される報知情報（Ａｄｖｅｒｔｉｓｅｍｅｎｔ）や、他のモバイル端末ＭＴ＃２等から送信される更新情報（Ｂｉｎｄｉｎｇ  Ｕｐｄａｔｅ）を受信するものである。
【００４３】
個別情報管理部１２は、当該モバイル端末ＭＴ＃１の個別情報を管理するものである。図２に示す例では、個別情報管理部１２は、当該モバイル端末ＭＴ＃１の個別情報「＃１」を管理している。かかる個別情報は、モバイルネットワークＡの接続先アクセスノードが変更されても、変更されないものである。
【００４４】
ロケーション情報生成部１３は、モバイルネットワークＡへの在圏を開始する場合に、アクセスノードＡＮ１又はＡＮ２から受信した報知情報に含まれる共通情報と、個別情報管理部１２によって管理されている個別情報とに基づいて、当該モバイル端末ＭＴ＃１のロケーション情報（アドレス情報）を生成するものである。
【００４５】
情報送信部１４は、ロケーション情報生成部１３によって生成されたロケーション情報を、移動管理ルータ３０や移動管理サーバ５０、５０ａ、５０ｂに送信するものである（なお、モバイル端末ＭＴ＃１以外のモバイル端末ＭＴの情報送信部１４は、ロケーション情報生成部１３によって生成されたロケーション情報を、モバイルネットワークＡ内の所定のモバイル端末ＭＴ＃１や移動管理ルータ３０や移動管理サーバ５０、５０ａ、５０ｂに送信する）。
【００４６】
また、情報送信部１４は、モバイル端末ＭＴのロケーション情報（アドレス情報）を変更した旨を示す報知情報（Ａｄｖｅｒｔｉｓｅｍｅｎｔ）を、モバイルネットワークＡ内の全てのモバイル端末ＭＴに送信するものである。例えば、かかる報知情報には、変更後の共通情報が含まれている。
【００４７】
また、情報送信部１４は、モバイル端末ＭＴのロケーション情報（アドレス情報）を変更した旨を示す更新情報（Ｂｉｎｄｉｎｇ  Ｕｐｄａｔｅ）を、移動管理ルータ３０や移動管理サーバ５０、５０ａ、５０ｂに送信する。例えば、かかる更新情報には、変更後の共通情報が含まれている。
【００４８】
モバイルネットワーク内ロケーション情報管理部１５は、モバイルネットワークＡ内の全てのモバイル端末ＭＴのロケーション情報（アドレス情報）を管理するものである。具体的には、モバイルネットワーク内ロケーション情報管理部１５は、モバイルネットワークＡ内のモバイル端末ＭＴと、共通情報と、個別情報とを関連付けて管理するアドレス情報管理部を構成する。
【００４９】
モバイルネットワーク内ロケーション情報管理部１５は、モバイルネットワークＡが接続するアクセスノードＡＮ（所定のノード）が変更になったことを検出した場合、共通情報のみを変更することによってモバイル端末ＭＴのロケーション情報（アドレス情報）を変更する。
【００５０】
また、図３を参照して、移動管理ルータ３０の構成について説明する。図３に示すように、移動管理ルータ３０は、情報受信部３１と、ロケーション情報管理部３２と、通知部３３と、ルーティング処理部３４とを具備している。移動管理ルータ３０は、モバイルネットワークＡ内のモバイル端末宛てのパケットの転送経路上に設けられている転送装置である。
【００５１】
情報受信部３１は、モバイルネットワークＡへの在圏を開始したモバイル端末ＭＴから送信されるロケーション情報や、モバイル端末ＭＴ＃１から送信される更新情報（Ｂｉｎｄｉｎｇ  Ｕｐｄａｔｅ）等の各種情報を受信するものである。
【００５２】
ロケーション情報管理部３２は、モバイルネットワークＡ内の全てのモバイル端末ＭＴのロケーション情報を管理するものである。図３の例では、ロケーション情報管理部３２は、「共通情報＝ＡＮ１ｐｒｅｆｉｘ」と「個別情報＝＃１」とから構成されるモバイル端末ＭＴ＃１のロケーション情報や、「共通情報＝ＡＮ１ｐｒｅｆｉｘ」と「個別情報＝＃２」とから構成されるモバイル端末ＭＴ＃２のロケーション情報等を管理している。
【００５３】
ロケーション情報管理部３２は、モバイル端末ＭＴ＃１からの更新情報に基づいて、管理しているモバイル端末ＭＴのロケーション情報を構成する共通情報を変更することによって、当該モバイル端末ＭＴのロケーション情報を変更する。
【００５４】
通知部３３は、あるモバイル端末ＭＴがモバイルネットワークＡに新たに在圏するようになった場合に、当該モバイル端末ＭＴと通信中の通信相手（例えば、モバイル端末ＭＴ＃３やＭＴ＃４等）に対して、その旨を通知するものである。
【００５５】
ルーティング処理部３４は、ロケーション情報管理部３２を参照して、モバイルネットワークＡ内のモバイル端末ＭＴ宛てにパケットを転送するものである。図３の例では、ルーティング処理部３４は、アクセスノードＡＮ３を介してモバイル端末ＭＴ＃３から送信されたパケットを、アクセスノードＡＮ２を介してモバイル端末ＭＴ＃１宛てに転送する。また、ルーティング処理部３４は、アクセスノードＡＮ４を介してモバイル端末ＭＴ＃４から送信されたパケットを、アクセスノードＡＮ２を介してモバイル端末ＭＴ＃２宛てに転送する。
【００５６】
なお、移動管理ルータ３０の機能を、アクセスノードＡＮ１乃至ＡＮ４や、通信相手であるモバイル端末ＭＴ＃３及びＭＴ＃４等に具備させるように構成してもよい。
【００５７】
また、図４を参照して、移動管理サーバ５０、５０ａ、５０ｂの構成について説明する。図４に示すように、移動管理サーバ５０、５０ａ、５０ｂの構成は、ロケーション情報管理部５１による管理内容を除いて、基本的に同一であるので、以下、移動管理サーバ５０の機能について代表して説明する。
【００５８】
移動管理サーバ５０は、図４に示すように、ロケーション情報管理部５１と、情報受信部５２と、情報送信部５３とを具備している。移動管理サーバ５０は、例えば、ＭＩＰのホームエージェントである。
【００５９】
ロケーション情報管理部５１は、モバイルネットワークＡ内の全てのモバイル端末ＭＴのロケーション情報を管理するものである。図４の例では、ロケーション情報管理部３２は、「共通情報＝ＡＮ１ｐｒｅｆｉｘ」と「個別情報＝＃１」とから構成されるモバイル端末ＭＴ＃１のロケーション情報や、「共通情報＝ＡＮ１ｐｒｅｆｉｘ」と「個別情報＝＃２」とから構成されるモバイル端末ＭＴ＃２のロケーション情報等を管理している。
【００６０】
ロケーション情報管理部５１は、モバイル端末ＭＴ＃１からの更新情報に基づいて、管理しているモバイル端末ＭＴのロケーション情報を構成する共通情報を変更することによって、当該モバイル端末ＭＴのロケーション情報を変更する。
【００６１】
なお、ロケーション情報の変更時のアクセスを軽減するために、移動管理サーバ５０ａ及び５０ｂのロケーション情報管理部５１ａ及び５１ｂが、移動管理サーバ５０のロケーション情報管理部５１にポインタ設定されている。
【００６２】
具体的には、図４に示すように、移動管理サーバ５０ａのロケーション情報管理部５１ａには、モバイル端末ＭＴ＃１のロケーション情報が、移動管理サーバ５０のロケーション情報管理部５１内のモバイルネットワークＡ用のテーブルに記載されている旨（ポインタ設定に関する情報）が記憶されており、移動管理サーバ５０ｂのロケーション情報管理部５１ｂには、モバイル端末ＭＴ＃２のロケーション情報が、移動管理サーバ５０のロケーション情報管理部５１内のモバイルネットワークＡ用のテーブルに記載されている旨（ポインタ設定に関する情報）が記憶されている。そして、モバイル端末ＭＴ＃１のロケーション情報についての詳細は、移動管理サーバ５０のロケーション情報管理部５１に記憶されている。
【００６３】
そのため、モバイル端末ＭＴ＃１又はＭＴ＃２のハンドオフ時には、移動管理サーバ５０のロケーション情報管理部５１において情報の書き換えが行われる一方、移動管理サーバ５０ａ及び５０ｂのロケーション情報管理部５１ａ及び５１ｂにおいて情報の書き換えは行われない。
【００６４】
情報受信部５２は、モバイルネットワークＡへの在圏を開始したモバイル端末ＭＴから送信されるロケーション情報や、モバイル端末ＭＴ＃１から送信される更新情報等の各種情報を受信するものである。情報送信部５３は、各種情報を送信するものである。
【００６５】
（本実施形態に係る移動通信システムの動作）
本実施形態に係る移動通信システムの動作を、図５及び図６を参照にして説明する。
【００６６】
第１に、図５を参照して、本実施形態に係る移動通信システムにおいて、モバイル端末ＭＴ＃２がモバイルネットワークＡに新たに在圏するようになった場合のアドレス情報（ロケーション情報）の割当動作、すなわち、モバイル端末ＭＴ＃２の登録動作について説明する。
【００６７】
図５に示すように、ステップ１０１において、アクセスノードＡＮ１が、当該アクセスノードＡＮ１に関連付けられている共通情報（ＡＮ１ｐｒｅｆｉｘ）を含む報知情報（Ａｄｖｅｒｔｉｓｅｍｅｎｔ）を送信する。
【００６８】
ステップ１０２において、モバイルネットワークＡへの在圏を開始したモバイル端末ＭＴ＃２のロケーション情報生成部１３は、アクセスノードＡＮ１から受信した報知情報に含まれる共通情報と、自身の個別情報管理部１２により管理されている個別情報（＃２）とを用いて、自身のロケーション情報（「ＡＮ１ｐｒｅｆｉｘ」＋「＃２」）を生成する。
【００６９】
モバイル端末ＭＴ＃２の情報送信部１４は、生成されたロケーション情報を含む更新情報（Ｂｉｎｄｉｎｇ  Ｕｐｄａｔｅ）を、ステップ１０３ａにおいてモバイル端末ＭＴ＃１に送信すると共に、ステップ１０３ｂにおいて移動管理サーバ３０に送信する。
【００７０】
ステップ１０４ａにおいて、モバイル端末ＭＴ＃１のモバイルネットワーク内ロケーション情報管理部１５が、モバイル端末ＭＴ＃２のロケーション情報を登録すると共に、ステップ１０４ｂにおいて、移動管理ルータ３０のロケーション情報管理部３２が、当該モバイル端末ＭＴ＃２のロケーション情報を登録する。ここで、モバイル端末ＭＴ＃２のロケーション情報の共通情報によって、当該モバイル端末ＭＴ＃２が、アクセスノードＡＮ１に接続されているモバイルネットワークＡ内にいると判断することができる。
【００７１】
ステップ１０５において、移動管理ルータ３０の通知部３３が、モバイルネットワークＡ内のモバイル端末ＭＴ＃２と通知する際には、当該移動管理ルータ３０にパケットを送信するように、モバイル端末ＭＴ＃３やＭＴ＃４に対して通知する。
【００７２】
第２に、図６を参照して、本実施形態に係る移動通信システムにおいて、モバイルネットワークＡが移動した場合のアドレス情報（ロケーション情報）の変更動作を説明する。
【００７３】
図６に示すように、ステップ２０１において、移動先のアクセスノードＡＮ２が、当該アクセスノードＡＮ２に関連付けられている共通情報（ＡＮ２ｐｒｅｆｉｘ）を含む報知情報（Ａｄｖｅｒｔｉｓｅｍｅｎｔ）を送信する。
【００７４】
ステップ２０２において、モバイル端末ＭＴ＃１のモバイルネットワーク内ロケーション情報管理部１５が、モバイルネットワークＡ内のモバイル端末ＭＴのロケーション情報を構成する共通情報（ＡＮ１ｐｒｅｆｉｘ）を、アクセスノードＡＮ２から受信した報知情報に含まれる共通情報（ＡＮ２ｐｒｅｆｉｘ）に変更する。
【００７５】
ステップ２０３において、モバイル端末ＭＴ＃１の情報送信部１４が、変更後の共通情報（ＡＮ２ｐｒｅｆｉｘ）を含む報知情報（Ａｄｖｅｒｔｉｓｅｍｅｎｔ）を、モバイルネットワークＡ内の全てのモバイル端末ＭＴに送信する。
【００７６】
ステップ２０４において、モバイル端末ＭＴ＃２のモバイルネットワーク内ロケーション情報管理部１５が、当該モバイル端末ＭＴ＃２のロケーション情報を構成する共通情報（ＡＮ１ｐｒｅｆｉｘ）を、モバイル端末ＭＴ＃１から受信した報知情報に含まれる共通情報（ＡＮ２ｐｒｅｆｉｘ）に変更する。この際、モバイル端末ＭＴ＃２の情報送信部１４は、ロケーション情報についての更新情報を移動管理ルータ３０等に送信しないように構成されている。
【００７７】
ステップ２０５において、モバイル端末ＭＴ＃１の情報送信部１４が、モバイルネットワークＡが移動した旨、すなわち、モバイルネットワークＡ内のモバイル端末ＭＴのロケーション情報の変更について通知するための更新情報（Ｂｉｎｄｉｎｇ  Ｕｐｄａｔｅ）を移動管理ルータ３０（及び、移動管理サーバ５０）に送信する。
【００７８】
ステップ２０６において、移動管理ルータ３０のロケーション情報管理部３２が、当該モバイルネットワークＡ内のモバイル端末ＭＴのロケーション情報を構成する共通情報（ＡＮ１ｐｒｅｆｉｘ）を、モバイル端末ＭＴ＃１から受信した更新情報に含まれる共通情報（ＡＮ２ｐｒｅｆｉｘ）に変更する。その結果、モバイルネットワークＡ内のモバイル端末ＭＴのハンドオフ処理が完了する。
【００７９】
（本実施形態に係る移動通信システムの作用・効果）
本実施形態に係る移動通信システムによれば、モバイルネットワークＡが移動した場合であっても、モバイルネットワークＡ内のモバイル端末ＭＴのロケーション情報について、モバイルネットワークＡが接続するアクセスノードＡＮに関連付けられている共通情報のみを変更すればよいため、ハンドオフ時の処理時間を減少することができる。
【００８０】
また、本実施形態に係る移動通信システムによれば、モバイルネットワークＡ内のモバイル端末ＭＴ＃１（所定の移動通信端末）のみが、移動管理ルータ３０及び移動管理サーバ５０に対してモバイルネットワークＡの移動について通知するため、ハンドオフ時の信号量を減少することができる。具体的には、共通情報が変更になったことを示す１つのみの信号が通知されるため、ハンドオフ時の信号量を減少することができる。
【００８１】
（本発明の第２の実施形態に係る移動通信システム）
図７乃至図９を参照して、本発明の第２の実施形態に係る移動通信システムについて説明する。以下、上述の第１の実施形態に係る移動通信システムとの相違点を主として説明する。
【００８２】
図７に示すように、本実施形態に係る移動通信システムは、モバイルネットワークＡを管理するモバイルノードＭＮを具備する点、及び、モバイル端末ＭＴのロケーション情報の構成の点で、上述の第１の実施形態に係る移動通信システムの構成と相違している。
【００８３】
図８に示すように、モバイルノードＭＮは、情報受信部７１と、個別情報管理部７２と、ロケーション情報生成部７３と、情報送信部７４と、モバイルネットワーク内ロケーション情報管理部７５と、モバイルネットワーク制御部７６とを具備している。
【００８４】
モバイルネットワーク制御部７６は、モバイルネットワーク内ロケーション情報管理部７５と協働して、モバイルネットワークＡ内のモバイル端末ＭＴとアクセスノードＡＮとの間のインターフェース機能を果たすものである。
【００８５】
なお、モバイルノードＭＮのその他の機能は、図２に示すモバイル端末ＭＴ＃１の機能と同一であるため、説明は省略する。
【００８６】
また、本実施形態では、共通情報は、接続先アクセスノードＡＮを示す情報を含むモバイルノードＭＮのアドレス情報（ロケーション情報）となっており、個別情報は、在圏するモバイルネットワークＡを管理するモバイルノードＭＮを示す情報を含むモバイル端末ＭＴのアドレス情報（ロケーション情報）となっている。
【００８７】
具体的には、モバイル端末ＭＴ＃１のアドレス情報は、モバイルネットワークＡがアクセスノードＡＮ１に接続されている場合には、「ＡＮ１ｐｒｅｆｉｘＭＮ（共通情報）＋ＭＮｐｒｅｆｉｘ＃１（個別情報）」であり、モバイルネットワークＡがアクセスノードＡＮ２に接続されている場合には、「ＡＮ２ｐｒｅｆｉｘＭＮ（共通情報）＋ＭＮｐｒｅｆｉｘ＃１（個別情報）」である。
【００８８】
同様に、モバイル端末ＭＴ＃２のアドレス情報は、モバイルネットワークＡがアクセスノードＡＮ１に接続されている場合には、「ＡＮ１ｐｒｅｆｉｘＭＮ（共通情報）＋ＭＮｐｒｅｆｉｘ＃２（個別情報）」であり、モバイルネットワークＡがアクセスノードＡＮ２に接続されている場合には、「ＡＮ２ｐｒｅｆｉｘＭＮ（共通情報）＋ＭＮｐｒｅｆｉｘ＃２（個別情報）」である。
【００８９】
ここで、図９を参照して、本実施形態に係る移動通信システムにおいて、モバイルネットワークＡが移動した場合のアドレス情報（ロケーション情報）の変更動作を説明する。
【００９０】
図９に示すように、ステップ３０１において、移動先のアクセスノードＡＮ２が、当該アクセスノードＡＮ２に関連付けられている共通情報（ＡＮ２ｐｒｅｆｉｘＭＮ）を含む報知情報（Ａｄｖｅｒｔｉｓｅｍｅｎｔ）を送信する。
【００９１】
ステップ３０２において、モバイルノードＭＮのモバイルネットワーク内ロケーション情報管理部７５が、モバイルネットワークＡ内のモバイル端末ＭＴのロケーション情報を構成する共通情報（ＡＮ１ｐｒｅｆｉｘＭＮ）を、アクセスノードＡＮ２から受信した報知情報に含まれる共通情報（ＡＮ２ｐｒｅｆｉｘＭＮ）に変更する。
【００９２】
ステップ３０３において、モバイルノードＭＮの情報送信部１４が、変更後の共通情報（ＡＮ２ｐｒｅｆｉｘＭＮ）を含む報知情報（Ａｄｖｅｒｔｉｓｅｍｅｎｔ）を、モバイルネットワークＡ内の全てのモバイル端末ＭＴに送信する。
【００９３】
ステップ３０４において、モバイル端末ＭＴ＃１及びＭＴ＃２のモバイルネットワーク内ロケーション情報管理部１５が、当該モバイル端末ＭＴ＃１又はＭＴ＃２のロケーション情報を構成する共通情報（ＡＮ１ｐｒｅｆｉｘＭＮ）を、モバイルノードＭＮから受信した報知情報に含まれる共通情報（ＡＮ２ｐｒｅｆｉｘＭＮ）に変更する。この際、モバイル端末ＭＴ＃１及びＭＴ＃２の情報送信部１４は、ロケーション情報についての更新情報を移動管理ルータ３０等に送信しないように構成されている。
【００９４】
ステップ３０５において、モバイルノードＭＮの情報送信部１４が、モバイルネットワークＡが移動した旨、すなわち、モバイルネットワークＡ内のモバイル端末ＭＴのロケーション情報の変更について通知するための更新情報（Ｂｉｎｄｉｎｇ  Ｕｐｄａｔｅ）を移動管理ルータ３０（及び、移動管理サーバ５０）に送信する。
【００９５】
ステップ３０６において、移動管理ルータ３０のロケーション情報管理部３２が、当該モバイルネットワークＡ内のモバイル端末ＭＴのロケーション情報を構成する共通情報（ＡＮ１ｐｒｅｆｉｘＭＮ）を、モバイルノードＭＮから受信した更新情報に含まれる共通情報（ＡＮ２ｐｒｅｆｉｘＭＮ）に変更する。その結果、モバイルネットワークＡ内のモバイル端末ＭＴのハンドオフ処理が完了する。
【００９６】
本実施形態に係る移動通信システムによれば、モバイルネットワークＡが移動した場合であっても、モバイルネットワークＡ内のモバイル端末ＭＴのロケーション情報について、モバイルネットワークＡが接続するアクセスノードＡＮに関連付けられている共通情報のみを変更すればよいため、ハンドオフ時の処理時間を減少することができる。
【００９７】
また、本実施形態に係る移動通信システムによれば、モバイルネットワークＡ内のモバイルノードＭＮのみが、移動管理ルータ３０及び移動管理サーバ５０に対してモバイルネットワークＡの移動について通知するため、ハンドオフ時の信号量を減少することができる。具体的には、共通情報が変更になったことを示す１つのみの信号が通知されるため、ハンドオフ時の信号量を減少することができる。
【００９８】
（本発明の第３の実施形態に係る移動通信システム）
図１０及び図１１を参照して、本発明の第３の実施形態に係る移動通信システムについて説明する。本実施形態に係る移動通信システムは、上述の第２の実施形態に係る移動通信システムを、従来のＨＭＩＰ方式の移動通信システムに適用したものである。
【００９９】
以下、上述の第２の実施形態に係る移動通信システムとの相違点を主として説明する。図１０に示すように、本実施形態に係る移動通信システムは、モバイル端末ＭＴのロケーション情報の構成の点で、上述の第２の実施形態に係る移動通信システムの構成と相違している。
【０１００】
具体的には、モバイル端末ＭＴ＃１宛てのルーティング情報（ロケーション情報）は、モバイルネットワークＡがアクセスノードＡＮ１に接続されている場合、ＭＡＰ内では「ＣｏＡ＿ＭＮ（ＡＮ１配下）」（第１のルーティング情報）であり（図１１（ａ）参照）、モバイルノードＭＮ内では「ＣｏＡ＿ＭＴ１」（第２のルーティング情報）である（図１１（ｂ）参照）。また、モバイル端末ＭＴ＃１宛てのルーティング情報（ロケーション情報）は、モバイルネットワークＡがアクセスノードＡＮ２に接続されている場合、ＭＡＰ内では「ＣｏＡ＿ＭＮ（ＡＮ２配下）」（第１のルーティング情報）であり（図１１（ａ）参照）、モバイルノードＭＮ内では「ＣｏＡ＿ＭＴ１」（第２のルーティング情報）である（図１１（ｂ）参照）。
【０１０１】
また、モバイル端末ＭＴ＃２宛てのルーティング情報（ロケーション情報）は、モバイルネットワークＡがアクセスノードＡＮ１に接続されている場合、ＭＡＰ内では「ＣｏＡ＿ＭＮ（ＡＮ１配下）」（第１のルーティング情報）であり（図１１（ａ）参照）、モバイルノードＭＮ内では「ＣｏＡ＿ＭＴ２」（第２のルーティング情報）である（図１１（ｂ）参照）。また、モバイル端末ＭＴ＃２宛てのルーティング情報（ロケーション情報）は、モバイルネットワークＡがアクセスノードＡＮ２に接続されている場合、ＭＡＰ内では「ＣｏＡ＿ＭＮ（ＡＮ２配下）」（第１のルーティング情報）であり（図１１（ａ）参照）、モバイルノードＭＮ内では「ＣｏＡ＿ＭＴ２」（第２のルーティング情報）である（図１１（ｂ）参照）。
【０１０２】
具体的には、図１１（ａ）に示すように、モバイル端末ＭＴの第１のルーティング情報としては、モバイルノードＭＮのアドレス情報（Ｃａｒｅ−ｏｆ−ａｄｄｒｅｓｓ）が採用されており、モバイル端末ＭＴの第２のルーティング情報としては、モバイル端末ＭＴのアドレス情報（Ｃａｒｅ−ｏｆ−ａｄｄｒｅｓｓ）が採用されている。
【０１０３】
モバイルノードＭＮの情報送信部７４は、モバイルネットワークＡが移動したことを検知した場合、その旨を示す更新情報（Ｂｉｎｄｉｎｇ  Ｕｐｄａｔｅ）を、ＭＡＰに送信する。
【０１０４】
その結果、ＭＡＰのロケーション情報管理部３２は、当該モバイルネットワークＡ内のモバイル端末ＭＴ宛てのルーティング情報を変更する。
【０１０５】
（本発明の第４の実施形態に係る移動通信システム）
図１２を参照して、本発明の第４の実施形態に係る移動通信システムについて説明する。本実施形態に係る移動通信システムは、共通情報及び個別情報の割当方法の一例を示すものである。
【０１０６】
図１２に示すように、本実施形態に係る移動通信システムは、ノードＮｏｄｅ＃１乃至＃３と、アクセスノードＡＮ１乃至４と、モバイルノードＭＮとによる階層構造によって構成されている。
【０１０７】
図１２に示すように、ノードＮｏｄｅ＃１には、サブネットワークとして「Ａ：：／１０」が割り当てられており、ノードＮｏｄｅ＃２には、サブネットワークとして「Ａ．Ａ：：／２０」が割り当てられており、ノードＮｏｄｅ＃３には、サブネットワークとして「Ａ．Ｂ：：／２０」が割り当てられており、アクセスノードＡＮ１には、サブネットワークとして「Ａ．Ａ．Ａ：：／３０」が割り当てられており、アクセスノードＡＮ２には、サブネットワークとして「Ａ．Ａ．Ｂ：：／３０」が割り当てられており、アクセスノードＡＮ３には、サブネットワークとして「Ａ．Ｂ．Ａ：：／３０」が割り当てられており、アクセスノードＡＮ４には、サブネットワークとして「Ａ．Ｂ．Ｂ：：／３０」が割り当てられている。ここで、サブネットワークの表示には、ＩＰｖ６の表記方法を用いている。
【０１０８】
ここで、アクセスノードＡＮ１に接続したモバイルノードＭＮは、アクセスノードＡＮ１から、当該アクセスノードＡＮ１に割り当てられているサブネットワークの一部（Ａ．Ａ．Ａ．Ａ：：／４０）を、共通情報として割り当てられる。
【０１０９】
（本発明の第５の実施形態に係る移動通信システム）
図１３乃至図１７を参照して、本発明の第５の実施形態に係る移動通信システムについて説明する。以下、上述の第２の実施形態に係る移動通信システムとの相違点を主として説明する。図１３に示すように、本実施形態に係る移動通信システムは、ネットワーク管理サーバＮＣＰＦを具備する点、及び、移動管理ルータ（ＡＧＲ）３０やアクセスノードＡＮやモバイルノードＭＮにおいてアドレス変換が行われる点で、上述の第２の実施形態に係る移動通信システムの構成と相違している。
【０１１０】
本方式を用いることで、個別情報が、モバイルネットワークに閉じて使用できるため重複が発生せず、モバイルネットワークが移動した際にも不変であることが保証される。
【０１１１】
図１４を参照して、ネットワーク管理サーバＮＣＰＦの構成について説明する。図１４に示すように、ネットワーク管理サーバＮＣＰＦは、ロケーション情報管理部８１と、ルーティングテーブル管理部８２と、情報受信部８３と、情報送信部８４とを具備する。
【０１１２】
ロケーション情報管理部８１は、モバイルネットワークＡ内の全てのモバイル端末ＭＴのロケーション情報を管理するものである。図１４の例では、ロケーション情報管理部８１は、「共通情報＝ＩＰｒａＡＮ１（ＭＮ）」と「個別情報＝＃ＭＴ１」とにより構成されるモバイル端末ＭＴ＃１のロケーション情報や、「共通情報＝ＩＰｒａＡＮ１（ＭＮ）」と「個別情報＝＃ＭＴ２」とにより構成されるモバイル端末ＭＴ＃２のロケーション情報等を管理している。
【０１１３】
ルーティングテーブル管理部８２は、コアネットワーク１（すなわち、アクセスノードＡＮや移動管理ルータ３０）及びモバイルノードＭＮにおいてアドレス変換を行うためのルーティングテーブルを管理するものである。
【０１１４】
情報受信部８３は、モバイルノードＭＮからの更新情報（Ｂｉｎｄｉｎｇ  Ｕｐｄａｔｅ）等の各種情報を受信するものである。情報送信部８４は、モバイルノードＭＮや移動管理ルータ（ＡＧＲ）３０やアクセスノードＡＮに対するアドレス変換テーブルについての更新情報等の各種情報を送信するものである。
【０１１５】
図１３の例では、アクセスノードＡＮ３のアドレス変換テーブルは、モバイル端末ＭＴ＃１のホームアドレスＨｏＡ（ＩＰｈａ＃ＭＴ１）を、モバイル端末ＭＴ＃１の第１のロケーション情報ＲＡ＃１（ＩＰｒａＡＧＲ＃ＭＴ１）に変換するためのものである。
【０１１６】
また、移動管理ルータ（ＡＧＲ）３０のアドレス変換テーブルは、モバイル端末ＭＴ＃１の第１のロケーション情報ＲＡ＃１（ＩＰｒａＡＧＲ＃ＭＴ１）を構成する第１の共通情報（ｐｒｅｆｉｘ：ＩＰｒａＡＧＲ）を、モバイル端末ＭＴ＃１の第２のロケーション情報ＲＡ＃２（ＩＰｒａＡＮ１（ＭＮ）＃ＭＴ１）を構成する第２の共通情報（ｐｒｅｆｉｘ：ＩＰｒａＡＮ１（ＭＮ））に変換するためのものである。
【０１１７】
ここで、移動管理ルータ（ＡＧＲ）３０は、受信したパケットに含まれる第１の共通情報「ＩＰｒａＡＧＲ」を、一律に、第２の共通情報「ＩＰｒａＡＮ１（ＭＮ）」に変換する。したがって、モバイルネットワークＡのハンドオフ時において、移動管理ルータ（ＡＧＲ）３０が、当該モバイルネットワークＡ内のモバイル端末ＭＴの各々のロケーション情報を書き換える代わりに、当該第２の共通情報を書き換えるだけでよく、ハンドオフ時の処理時間を大幅に減少することが可能となる。
【０１１８】
また、モバイルノードＭＮのアドレス変換テーブルは、モバイル端末ＭＴ＃１の第２のロケーション情報ＲＡ＃２（ＩＰｒａＡＮ１（ＭＮ）＃ＭＴ１）を、モバイル端末ＭＴ＃１のホームアドレスＨｏＡ（ＩＰｈａ＃ＭＴ１）に変換するためのものである。
【０１１９】
以下、図１５乃至図１７を参照して、本実施形態に係る移動通信システムの動作について説明する。
【０１２０】
第１に、図１５を参照して、本実施形態に係る移動通信システムにおけるモバイル端末ＭＴ＃１の登録動作を説明する。
【０１２１】
図１５に示すように、ステップ４０１において、アクセスノードＡＮ１が、報知情報（Ａｄｖｅｒｔｉｓｅｍｅｎｔ）をモバイルノードＭＮに送信する。
【０１２２】
ステップ４０２において、モバイルノードＭＮの情報送信部７４が、モバイルネットワークＡ内のモバイル端末ＭＴ＃１に割当可能な共通情報（ｐｒｅｆｉｘ）の問い合わせをアクセスノードＡＮ１に送信する。
【０１２３】
アクセスノードＡＮ１は、ステップ４０３において、モバイル端末ＭＴ＃１に割当可能なｐｒｅｆｉｘ（共通情報）を選択し、ステップ４０４において、選択したｐｒｅｆｉｘ（共通情報）を含む応答を、モバイルノードＭＮに送信する。
【０１２４】
ステップ４０５において、モバイルノードＭＮの情報送信部７４は、モバイル端末ＭＴ＃１の登録が可能な旨を示す報知情報（Ａｄｖｅｒｔｉｓｅｍｅｎｔ）を、モバイル端末ＭＴ＃１に送信する。
【０１２５】
ステップ４０６において、モバイル端末ＭＴ＃１が、上述の報知情報に対する応答を、モバイルノードＭＮに返送する。ステップ４０７において、モバイルノードＭＮのロケーション情報生成部７３は、上述のｐｒｅｆｉｘ（共通情報）に基づいて、モバイル端末ＭＴ＃１のロケーション情報（「共通情報＝ＩＰｒａＡＮ１（ＭＮ）」＋「個別情報＝＃ＭＴ１」）を生成してモバイルネットワーク内ロケーション情報管理部７５（アドレス変換テーブル）に記憶させる。
【０１２６】
ステップ４０８において、モバイルノードＭＮの情報送信部７４が、生成したモバイル端末ＭＴ＃１のロケーション情報について、ネットワーク管理サーバＮＣＰＦに通知する。
【０１２７】
ステップ４０９において、ネットワーク管理サーバＮＣＰＦのロケーション情報管理部８１が、モバイル端末ＭＴ＃１のロケーション情報を登録すると共に、ルーティングテーブル管理部８２が、モバイルネットワークＡの移動特性を考慮して最適に選択した移動管理ルータ（ＡＧＲ）３０のアドレス変換テーブル（当該ｐｒｅｆｉｘに関するもの）を更新する。
【０１２８】
ステップ４１０において、ネットワーク管理サーバＮＣＰＦの情報送信部８４が、当該移動管理ルータ（ＡＧＲ）３０に対して、当該ｐｒｅｆｉｘに関するアドレス変換テーブルを作成するための情報を送信する。
【０１２９】
ステップ４１１において、移動管理ルータ（ＡＧＲ）３０のロケーション情報管理部３１が、ネットワーク管理サーバＮＣＰＦからの情報に応じて、当該ｐｒｅｆｉｘに関するアドレス変換テーブルを作成し、ステップ４１２において、情報送信部３１が、当該アドレス変換テーブルを作成が完了した旨を示す応答を、ネットワーク管理サーバＮＣＰＦに送信する。
【０１３０】
ネットワーク管理サーバＮＣＰＦは、モバイル端末ＭＴ＃１のロケーション情報を含む更新情報（Ｂｉｎｄｉｎｇ  Ｕｐｄａｔｅ）を、ステップ４１３ａにおいてモバイルノードＭＮに送信し、ステップ４１３ｂにおいて移動管理ルータ（ＡＧＲ）３０に送信する。
【０１３１】
ステップ４１４において、モバイルノードＭＮのロケーション情報管理部８４は、当該モバイル端末ＭＴ＃１のロケーション情報についての更新を完了して、その旨をモバイル端末ＭＴ＃１に応答する。この後、モバイル端末ＭＴ＃１は、モバイルネットワークＡにおいて通信を行うことが可能となる。
【０１３２】
第２に、図１６を参照して、本実施形態に係る移動通信システムにおけるパケットの転送動作について説明する。
【０１３３】
図１６に示すように、ステップ５０１において、モバイル端末ＭＴ＃３が、宛先アドレスとして「ＩＰｈａ＃ＭＴ１（モバイル端末ＭＴ＃１のホームアドレス）」を含むパケットを、アクセスノードＡＮ３に対して送信する。
【０１３４】
ステップ５０２において、アクセスノードＡＮ３は、ネットワーク管理サーバＮＣＰＦに対して、当該モバイル端末ＭＴ＃１の第１のルーティング情報を問い合わせる。ステップ５０３において、ネットワーク管理サーバＮＣＰＦの情報送信部８１が、アクセスノードＡＮ３のアドレス変換テーブルを更新するための更新情報を、アクセスノードＡＮ３に対して送信する。
【０１３５】
ステップ５０４において、アクセスノードＡＮ３は、受信した更新情報に基づいて、アドレス変換テーブルを更新すると共に、受信したパケットの宛先アドレスを「ＩＰｒａＡＧＲ＃ＭＴ１（モバイル端末ＭＴ＃１の第１のルーティングアドレス）」に変換する。ステップ５０５において、アクセスノードＡＮ３は、アドレスを変換したパケットを移動管理ルータ（ＡＧＲ）３０に転送する。
【０１３６】
移動管理ルータ（ＡＧＲ）３０のルーティング処理部３４が、ステップ５０６において、アドレス変換テーブルを参照して、受信したパケットの宛先アドレスを「ＩＰｒａＡＮ１（ＭＮ）＃ＭＴ１（モバイル端末ＭＴ＃１の第２のルーティングアドレス）」に変換すると共に、ステップ５０７において、アドレスを変換したパケットをアクセスノードＡＮ１に転送する。
【０１３７】
アクセスノードが、ステップ５０８において、アドレス変換テーブルを参照して、受信したパケットの宛先アドレスを「ＩＰｈａ＃ＭＴ１（モバイル端末ＭＴ＃１のホームアドレス）」に変換すると共に、ステップ５０９において、アドレスを変換したパケットをモバイル端末ＭＴ＃１に転送する。
【０１３８】
第３に、図１７を参照して、本実施形態に係る移動通信システムにおけるモバイル端末ＭＴ＃１のアドレス情報（ロケーション情報）の変更動作について説明する。
【０１３９】
図１７に示すように、ステップ６０１において、モバイル端末ＭＴ＃１とモバイル端末ＭＴ＃３とが通信中である。
【０１４０】
ステップ６０２において、モバイルネットワークＡが移動した場合、モバイルノードＭＮの情報送信部７４が、移動先のアクセスノードＡＮ２に対して、モバイルネットワークＡ内のモバイル端末ＭＴに割当可能なｐｒｅｆｉｘ（共通情報）を問い合わせる。
【０１４１】
アクセスノードＡＮ２は、ステップ６０３において、モバイルネットワークＡ内のモバイル端末ＭＴに割当可能なｐｒｅｆｉｘ（共通情報）を選択すると共に、ステップ６０４において、選択したｐｒｅｆｉｘ（共通情報）を、モバイルノードＭＮに対して応答する。
【０１４２】
ステップ６０５において、モバイルノードＭＮのモバイルネットワーク内ロケーション情報管理部７５が、選択されたｐｒｅｆｉｘ（共通情報）に基づいて、モバイルネットワークＡ内の全てのモバイル端末ＭＴのロケーション情報を構成する共通情報を変更する。
【０１４３】
ステップ６０６において、モバイルノードＭＮの情報送信部７４が、モバイルネットワークＡ内の全てのモバイル端末ＭＴのロケーション情報を変更した旨の通知を、ネットワーク管理サーバＮＣＰＦに送信する。ここで、共通情報が変更になったことを示す１つのみの信号が通知されるため、ハンドオフ時の信号量を減少することができる。
【０１４４】
ステップ６０７において、ネットワーク管理サーバＮＣＰＦのロケーション情報管理部８１及びルーティングテーブル管理部８２が、モバイルネットワークＡ内の全てのモバイル端末ＭＴのロケーション情報を構成する共通情報を変更する。
【０１４５】
ネットワーク管理サーバＮＣＰＦの情報送信部８４が、モバイルネットワークＡ内の全てのモバイル端末ＭＴのロケーション情報についての更新情報を、ステップ６０８ａにおいてモバイルノードＭＮに送信すると共に、ステップ６０８ｂにおいて移動管理ルータ（ＡＧＲ）３０に送信する。
【０１４６】
移動管理ルータ（ＡＧＲ）３０は、ステップ６０９において、受信した更新情報に応じて、ロケーション情報管理部３２内のアドレス変換テーブルを更新し、ステップ６１０において、アドレス変換テーブルの更新が完了した旨を、ネットワーク管理サーバＮＣＰＦに対して応答する。
【０１４７】
ステップ６１１において、ネットワーク管理サーバＮＣＰＦの情報送信部８４は、移動元のアクセスノードＡＮ１に対して、モバイルネットワークＡ内の全てのモバイル端末ＭＴのロケーション情報についての削除指示を送信する。
【０１４８】
アクセスノードＡＮ１は、ステップ６１２において、ネットワーク管理サーバＮＣＰＦからの削除指示に応じて、アドレス変換テーブルから該当するレコードを削除し、ステップ６１３において、ネットワーク管理サーバＮＣＰＦに対して、削除が完了した旨を示す応答を送信する。
【０１４９】
【発明の効果】
以上説明したように、本発明によれば、ハンドオフ時の多大な信号量及び処理時間を減少させることを可能とする移動通信システム、移動通信方法、サーバ装置、転送装置及び移動通信端末を提供することができる。
【図面の簡単な説明】
【図１】本発明の第１の実施形態に係る移動通信システムの全体構成図である。
【図２】本発明の第１の実施形態に係る移動通信システムのモバイル端末の機能ブロック図である。
【図３】本発明の第１の実施形態に係る移動通信システムの移動管理ルータの機能ブロック図である。
【図４】本発明の第１の実施形態に係る移動通信システムの移動管理サーバの機能ブロック図である。
【図５】本発明の第１の実施形態に係る移動通信システムにおけるモバイル端末の登録動作を示すシーケンス図である。
【図６】本発明の第１の実施形態に係る移動通信システムにおけるモバイル端末のアドレス情報の変更動作を示すシーケンス図である。
【図７】本発明の第２の実施形態に係る移動通信システムの全体構成図である。
【図８】本発明の第２の実施形態に係る移動通信システムのモバイルノードの機能ブロック図である。
【図９】本発明の第２の実施形態に係る移動通信システムにおけるモバイル端末のアドレス情報の変更動作を示すシーケンス図である。
【図１０】本発明の第３の実施形態に係る移動通信システムの全体構成図である。
【図１１】本発明の第３の実施形態に係る移動通信システムにおいて管理されるロケーション情報の一例を示す図である。
【図１２】本発明の第４の実施形態に係る移動通信システムの全体構成図である。
【図１３】本発明の第５の実施形態に係る移動通信システムの全体構成図である。
【図１４】本発明の第５の実施形態に係る移動通信システムのネットワーク管理サーバの機能ブロック図である。
【図１５】本発明の第５の実施形態に係る移動通信システムにおけるモバイル端末の登録動作を示すシーケンス図である。
【図１６】本発明の第２の実施形態に係る移動通信システムにおけるパケットの転送動作を示すシーケンス図である。
【図１７】本発明の第５の実施形態に係る移動通信システムにおけるモバイル端末のアドレス情報の変更動作を示すシーケンス図である。
【図１８】従来技術に係る移動通信システムの全体構成図である。
【図１９】従来技術に係る移動通信システムの全体構成図である。
【符号の説明】
１…コアネットワーク
Ａ…モバイルネットワーク
ＡＮ１、ＡＮ２、ＡＮ３、ＡＮ４、ＡＮ５…アクセスノード
ＭＴ＃１、ＭＴ＃２、ＭＴ＃３、ＭＴ＃４…モバイル端末
１１、３１、５２、５２ａ、５２ｂ、７１、８３…情報受信部
１２、７２…個別情報管理部
１３、７３…ロケーション情報生成部
１４、５３、５３ａ、５３ｂ、７４、８４…情報送信部
１５、７５…モバイルネットワーク内ロケーション情報管理部
３０…移動管理ルータ
３２、５１、５１ａ、５１ｂ、８１…ロケーション情報管理部
３３…通知部
３４…ルーティング処理部
５０、５０ａ、５０ｂ…移動管理サーバ
ＭＮ…モバイルノード
７６…モバイルネットワーク制御部
ＮＣＰＦ…ネットワーク管理サーバ
８５…ルーティングテーブル管理部
【図１】
2004282172.tif 000003
【図２】
2004282172.tif 000004
【図３】
2004282172.tif 000005
【図４】
2004282172.tif 000006
【図５】
2004282172.tif 000007
【図６】
2004282172.tif 000008
【図７】
2004282172.tif 000009
【図８】
2004282172.tif 000010
【図９】
2004282172.tif 000011
【図１０】
2004282172.tif 000012
【図１１】
2004282172.tif 000013
【図１２】
2004282172.tif 000014
【図１３】
2004282172.tif 000015
【図１４】
2004282172.tif 000016
【図１５】
2004282172.tif 000017
【図１６】
2004282172.tif 000018
【図１７】
2004282172.tif 000019
【図１８】
2004282172.tif 000020
【図１９】
2004282172.tif 000021
【手続補正書】
【提出日】平成16年2月27日(2004.2.27)
【手続補正１】
【補正対象書類名】図面
【補正対象項目名】図１７
【補正方法】変更
【補正の内容】
【図１７】
2004282172.tif 000022